(57)【要約】【課題】消費電力を平準化することが可能な自動取引装置、取引方法及びプログラムを提供する。【解決手段】電力により動作する動作部と、外部から供給された電力を前記動作部に供給する外部電力供給部と、電力を蓄電する蓄電部と、第１の時間帯に含まれる時間帯に、前記動作部に供給する電力の少なくとも一部を前記外部電力供給部の代わりに前記蓄電部が供給するよう制御する蓄電制御部と、を備える自動取引装置。【選択図】図５
2014049038.tif 000002
【特許請求の範囲】
【請求項１】
電力により動作する動作部と、
外部から供給された電力を前記動作部に供給する外部電力供給部と、
電力を蓄電する蓄電部と、
第１の時間帯に含まれる時間帯に、前記動作部に供給する電力の少なくとも一部を前記外部電力供給部の代わりに前記蓄電部が供給するよう制御する蓄電制御部と、
を備える自動取引装置。
【請求項２】
前記動作部は、
取引処理を制御する取引制御部と、
取引画面を表示する表示部と、
を含み、
前記蓄電制御部は、前記動作部のうち少なくとも前記取引制御部および前記表示部に供給する電力を、前記外部電力供給部の代わりに前記蓄電部が供給するよう制御する、請求項１に記載の自動取引装置。
【請求項３】
前記第１の時間帯に含まれる時間帯は、前記第１の時間帯において、前記取引制御部による取引処理後、所定時間経過した後の時間帯である、請求項２に記載の自動取引装置。
【請求項４】
前記自動取引装置は時間帯に応じて異なる動作モード群に含まれる動作モードにより動作し、
前記第１の時間帯に対応する前記動作モード群は、
前記外部電力供給部が前記動作部への電力の供給を行い、前記取引制御部が取引処理を行う取引動作モードと、
前記外部電力供給部が前記動作部への電力の供給を行い、前記取引制御部が取引処理を行わずに待機する待機動作モードと、
前記外部電力供給部が前記動作部への電力の供給を少なくとも一部停止し、前記取引制御部が取引処理を行わない省エネ動作モードと、
前記外部電力供給部が前記動作部への電力の供給を停止し、前記外部電力供給部が停止した前記動作部に供給する電力の少なくとも一部を前記外部電力供給部の代わりに前記蓄電部が供給する平準化動作モードと、
を含み、
前記第１の時間帯以外の時間帯に対応する前記動作モード群は、前記取引動作モードと前記待機動作モードと前記省エネ動作モードとを含む、請求項２または３に記載の自動取引装置。
【請求項５】
前記第１の時間帯に対応する前記動作モード群は、前記外部電力供給部が前記動作部への電力の供給を少なくとも一部停止し、前記外部電力供給部が停止した前記動作部に供給する電力を前記外部電力供給部の代わりに前記蓄電部が供給し、前記取引制御部が取引処理を行う平準化取引動作モードをさらに含む、請求項４に記載の自動取引装置。
【請求項６】
前記第１の時間帯は、社会的に電力需要の多い時間帯である、請求項１〜５のいずれか一項に記載の自動取引装置。
【請求項７】
前記蓄電制御部は、前記第１の時間帯と異なる第２の時間帯に、前記蓄電部が蓄電するよう制御する、請求項１〜６のいずれか一項に記載の自動取引装置。
【請求項８】
前記第２の時間帯は、前記第１の時間帯と比較して社会的に電力需要の少ない時間帯である、請求項７に記載の自動取引装置。
【請求項９】
前記第２の時間帯は、前記自動取引装置が設置された店舗の閉店中の時間帯である、請求項７または８に記載の自動取引装置。
【請求項１０】
前記第２の時間帯は、前記自動取引装置が設置された店舗の開店中の時間帯である、請求項７〜９のいずれか一項に記載の自動取引装置。
【請求項１１】
前記自動取引装置は、外部から供給される電力の異常の有無を検出する電力異常検出部をさらに備え、
前記蓄電制御部は、前記電力異常検出部が異常を検出した場合に、前記取引制御部に供給する電力を、前記外部電力供給部の代わりに前記蓄電部が供給するよう制御する、請求項２〜１０のいずれか一項に記載の自動取引装置。
【請求項１２】
電力を蓄電するステップと、
第１の時間帯に含まれる時間帯に、自動取引装置に含まれる動作部に供給する電力の少なくとも一部を、前記自動取引装置の外部から供給される電力の代わりに前記蓄電した電力から供給するよう制御するステップと、
を備える電力供給方法。
【請求項１３】
コンピュータに、
電力を蓄電するステップと、
第１の時間帯に含まれる時間帯に、自動取引装置に含まれる動作部に供給する電力の少なくとも一部を、前記自動取引装置の外部から供給される電力の代わりに前記蓄電した電力から供給するよう制御するステップと、
を実行させるためのプログラム。
【発明の詳細な説明】
【技術分野】
【０００１】
本発明は、自動取引装置、取引方法及びプログラムに関する。
【背景技術】
【０００２】
近年、電力を消費して動作する機器の普及により、社会的な電力需要はますます増加している。そして、電力需要は季節および時間帯などの要因によって大きく変動するため、需要量の多い時期には電力需給が逼迫する場合がある。そこで、電力の消費を、電力需給の逼迫した時期から緩慢な時期に移行させて、平準化（ピークシフト）させることが社会的に求められている。例えば、夏季の平日昼間の電力消費を、夜間に移行させることが求められている。
【０００３】
電力の平準化が求められる機器の一例として、自動取引装置（ＡＴＭ：Ａｕｔｏｍａｔｉｃ  Ｔｅｌｌｅｒ  Ｍａｃｈｉｎｅ）がある。例えば、特許文献１では、複数の自動取引装置の動作モードを、過去の使用状況や現在の稼働状態に応じて上位装置が一元的に管理することで、複数の自動取引装置の全体の電力消費量を削減する技術が開示されている。
【先行技術文献】
【特許文献】
【０００４】
【特許文献１】特開２００３−２０８６５７号公報
【発明の概要】
【発明が解決しようとする課題】
【０００５】
しかし、従来の技術は、電力消費量を削減することができるものの、依然として電力消費を電力需給の逼迫した時期から緩慢な時期に移行させることができない、という問題があった。
【０００６】
そこで、本発明は、上記問題に鑑みてなされたものであり、本発明の目的とするところは、消費電力を平準化することが可能な、新規かつ改良された自動取引装置、取引方法及びプログラムを提供することにある。
【課題を解決するための手段】
【０００７】
上記課題を解決するために、本発明のある観点によれば、電力により動作する動作部と、外部から供給された電力を前記動作部に供給する外部電力供給部と、電力を蓄電する蓄電部と、第１の時間帯に含まれる時間帯に、前記動作部に供給する電力の少なくとも一部を前記外部電力供給部の代わりに前記蓄電部が供給するよう制御する蓄電制御部と、を備える自動取引装置が提供される。
【０００８】
前記動作部は、取引処理を制御する取引制御部と、取引画面を表示する表示部と、を含み、前記蓄電制御部は、前記動作部のうち少なくとも前記取引制御部および前記表示部に供給する電力を、前記外部電力供給部の代わりに前記蓄電部が供給するよう制御してもよい。
【０００９】
前記第１の時間帯に含まれる時間帯は、前記第１の時間帯において、前記取引制御部による取引処理後、所定時間経過した後の時間帯であってもよい。
【００１０】
前記自動取引装置は時間帯に応じて異なる動作モード群に含まれる動作モードにより動作し、前記第１の時間帯に対応する前記動作モード群は、前記外部電力供給部が前記動作部への電力の供給を行い、前記取引制御部が取引処理を行う取引動作モードと、前記外部電力供給部が前記動作部への電力の供給を行い、前記取引制御部が取引処理を行わずに待機する待機動作モードと、前記外部電力供給部が前記動作部への電力の供給を少なくとも一部停止し、前記取引制御部が取引処理を行わない省エネ動作モードと、前記外部電力供給部が前記動作部への電力の供給を停止し、前記外部電力供給部が停止した前記動作部に供給する電力の少なくとも一部を前記外部電力供給部の代わりに前記蓄電部が供給する平準化動作モードと、を含み、前記第１の時間帯以外の時間帯に対応する前記動作モード群は、前記取引動作モードと前記待機動作モードと前記省エネ動作モードとを含んでもよい。
【００１１】
前記第１の時間帯に対応する前記動作モード群は、前記外部電力供給部が前記動作部への電力の供給を少なくとも一部停止し、前記外部電力供給部が停止した前記動作部に供給する電力を前記外部電力供給部の代わりに前記蓄電部が供給し、前記取引制御部が取引処理を行う平準化取引動作モードをさらに含んでもよい。
【００１２】
前記第１の時間帯は、社会的に電力需要の多い時間帯であってもよい。
【００１３】
前記蓄電制御部は、前記第１の時間帯と異なる第２の時間帯に、前記蓄電部が蓄電するよう制御してもよい。
【００１４】
前記第２の時間帯は、前記第１の時間帯と比較して社会的に電力需要の少ない時間帯であってもよい。
【００１５】
前記第２の時間帯は、前記自動取引装置が設置された店舗の閉店中の時間帯であってもよい。
【００１６】
前記第２の時間帯は、前記自動取引装置が設置された店舗の開店中の時間帯であってもよい。
【００１７】
前記自動取引装置は、外部から供給される電力の異常の有無を検出する電力異常検出部をさらに備え、前記蓄電制御部は、前記電力異常検出部が異常を検出した場合に、前記取引制御部に供給する電力を、前記外部電力供給部の代わりに前記蓄電部が供給するよう制御してもよい。
【００１８】
また、上記課題を解決するために、本発明の別の観点によれば、電力を蓄電するステップと、第１の時間帯に含まれる時間帯に、自動取引装置に含まれる動作部に供給する電力の少なくとも一部を、前記自動取引装置の外部から供給される電力の代わりに前記蓄電した電力から供給するよう制御するステップと、を備える電力供給方法が提供される。
【００１９】
また、上記課題を解決するために、本発明の別の観点によれば、コンピュータに、電力を蓄電するステップと、第１の時間帯に含まれる時間帯に、自動取引装置に含まれる動作部に供給する電力の少なくとも一部を、前記自動取引装置の外部から供給される電力の代わりに前記蓄電した電力から供給するよう制御するステップと、を実行させるためのプログラムが提供される。
【発明の効果】
【００２０】
以上説明したように本発明によれば、消費電力を平準化することが可能である。
【図面の簡単な説明】
【００２１】
【図１】本発明の実施形態に係る自動取引装置の構成を示した説明図である。
【図２】本発明の実施形態に係る自動取引装置の内部構成の概略を示した説明図である。
【図３】本発明の実施形態に係る自動取引装置の基本動作を示す説明図である。
【図４】第１の実施形態に係る自動取引装置の動作の概要を示した説明図である。
【図５】第１の実施形態に係る自動取引装置の動作モードを示した説明図である。
【図６】第１の実施形態に係る自動取引装置の内部構成を示した説明図である。
【図７】第１の実施形態に係る自動取引装置の平準化動作モードへの遷移を説明するための説明図である。
【図８】第１の実施形態に係る自動取引装置の非常時の動作を説明するための説明図である。
【図９】第１の実施形態に係る自動取引装置の平準化動作モードから取引動作モードへの遷移を説明するための説明図である。
【図１０】第１の実施形態の変形例に係る自動取引装置の動作の概要を示した説明図である。
【図１１】第２の実施形態に係る自動取引装置の動作モードを示した説明図である。
【図１２】第２の実施形態に係る自動取引装置の動作モードの遷移を説明するための説明図である。
【図１３】第３の実施形態に係る自動取引装置の内部構成の概略を示した説明図である。
【図１４】第３の実施形態に係る自動取引装置の非常時の動作を説明するための説明図である
【発明を実施するための形態】
【００２２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２３】
＜１．自動取引装置の概要＞
［１−１．自動取引装置の基本構成］
本発明は、一例として＜２．第１の実施形態＞〜＜４．第３の実施形態＞において詳細に説明するように、多様な形態で実施され得る。また、各実施形態に係る自動取引装置（１０）は、
Ａ．電力により動作する動作部（主制御部２０４、接客用表示ユニット２０８ａ、保守用表示ユニット２０８ｂ、主制御回路２１２、近接センサ２１６、カードユニット２２０、通帳ユニット２２４、紙幣ユニット２２８、硬貨ユニット２３２）と、
Ｂ．外部から供給された電力を前記動作部に供給する外部電力供給部（電源ユニット３００）と、
Ｃ．電力を蓄電する蓄電部（平準化バッテリ１０４）と、
Ｄ．第１の時間帯に含まれる時間帯に、前記動作部に供給する電力の少なくとも一部を前記外部電力供給部の代わりに前記蓄電部が供給するよう制御する蓄電制御部（平準化制御回路１０８）と、
を備える。
【００２４】
以下では、まず、このような各実施形態において共通する自動取引装置の基本構成について、図１〜３を参照して説明する。
【００２５】
図１は、本発明の実施形態に係る自動取引装置１０の構成を示した説明図である。図１に示したように、本発明の実施形態に係る自動取引装置１０は、通帳挿入排出口２２と、カード挿入排出口２６と、硬貨投入口３０と、紙幣投入口３４と、操作表示部３８と、を含む。
【００２６】
操作表示部３８は、顧客による操作の誘導画面を表示する表示部および顧客操作を検出する操作部としての機能を包含する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置により実現される。また、操作部としての機能は、例えば、タッチパネルにより実現される。なお、図１においては、表示部および操作部の機能が自動取引装置１０において一体的に構成される例を示しているが、表示部および操作部の機能は分離して構成されていてもよい。
【００２７】
通帳挿入排出口２２は、顧客の通帳の挿入および排出を行う。また、カード挿入排出口２６は、顧客のカードの挿入および排出を行う。また、硬貨投入口３０は、顧客による硬貨の入金口、および顧客への硬貨の出金口としての機能を有する。また、紙幣投入口３４は、顧客による紙幣の入金口、および顧客への紙幣の出金口としての機能を有する。
【００２８】
上記説明した構成を有する自動取引装置１０は、金融機関の顧客による操作に基づいて金銭の取引を実行する顧客操作型端末である。この自動取引装置１０は、金融機関の営業店、コンビニエンスストア、駅構内、ホテル、病院、アミューズメントパーク、飲食店、オフィスビルディングなどの多様な施設に設置される。以下、図２を参照し、自動取引装置１０の有する機能について説明する。
【００２９】
図２は、本発明の実施形態に係る自動取引装置１０の内部構成の概略を示した説明図である。図２に示したように、自動取引装置１０は、主制御部用電源３０８、各ユニット用電源３１２およびリレー３１６を含む電源ユニット３００と、平準化バッテリユニット１００と、主制御部２０４と、接客用表示ユニット２０８ａと、保守用表示ユニット２０８ｂと、カードユニット２２０と、通帳ユニット２２４と、紙幣ユニット２２８と、硬貨ユニット２３２と、非常時バッテリユニット５００と、含む。
【００３０】
（動作部）
本実施形態においては、主制御部２０４と、接客用表示ユニット２０８ａと、保守用表示ユニット２０８ｂと、カードユニット２２０と、通帳ユニット２２４と、紙幣ユニット２２８と、硬貨ユニット２３２とを、取引のための処理を行う動作部として捉えてもよい。動作部は、平準化バッテリユニット１００、電源ユニット３００、または非常時バッテリユニット５００により供給される電力によって動作する。
【００３１】
主制御部２０４は、自動取引装置１０による様々な取引および動作部による取引処理を制御する、取引制御部としての機能を有する。このため、主制御部２０４は、オペレーティングシステムおよびアプリケーション等のソフトを有し、取引のためのデータ等を記録する。なお、主制御部２０４は、外部から供給される電力に停電や電圧低下などの異常があった場合に、取引のためのデータ等を保護する。
【００３２】
接客用表示ユニット２０８ａは、取引画面を表示する表示部としての機能を有する。具体的には、接客用表示ユニット２０８ａは、自動取引装置１０を操作する顧客に対する取引画面を作成、制御および表示する。上述の操作表示部３８は、接客用表示ユニット２０８ａに含まれる。
【００３３】
保守用表示ユニット２０８ｂは、自動取引装置１０を保守する保守作業員に対する保守作業画面を作成、制御および表示する。保守用表示ユニット２０８ｂは、上述の操作表示部３８と同様の構成を含む。なお、保守作業員は、保守用表示ユニット２０８ｂを操作して、平準化バッテリユニット１００の運用を停止することができる。
【００３４】
カードユニット２２０は、カードに格納された情報の読み書きを行う。顧客によりカードがカード挿入排出口２６に挿入されると、カードユニット２２０はカードに格納された情報を読み取る。続いて、主制御部２０４は、カードユニット２２０が読み取った情報に基づいて取引を制御する。そして、カードユニット２２０は、取引の結果をカードに書き込み、カード挿入排出口２６から排出して顧客にカードを返却する。なお、カードユニット２２０は、新しいカードを発行することもできる。
【００３５】
通帳ユニット２２４は、通帳に格納された情報の読み書きを行う。顧客により通帳が通帳挿入排出口２２に挿入されると、通帳ユニット２２４は通帳に格納された情報を読み取る。続いて、主制御部２０４は、通帳ユニット２２４が読み取った情報に基づいて取引を制御する。そして、通帳ユニット２２４は、取引の結果を通帳に書き込みおよび印字し、通帳挿入排出口２２から排出して顧客に通帳を返却する。なお、通帳ユニット２２４は、新しい通帳を通帳することもできる。
【００３６】
紙幣ユニット２２８は、紙幣の備蓄、勘定を行う。顧客により紙幣が紙幣投入口３４に入金されると、紙幣ユニット２２８は投入された紙幣を勘定し、金額を主制御部２０４に通知する。他にも、紙幣ユニット２２８は、紙幣を紙幣投入口３４から排出して顧客に出金する。
【００３７】
硬貨ユニット２３２は、硬貨の備蓄、勘定を行う。顧客により硬貨が硬貨投入口３０に入金されると、硬貨ユニット２３２は投入された硬貨を勘定し、金額を主制御部２０４に通知する。他にも、硬貨ユニット２３２は、硬貨を硬貨投入口３０から排出して顧客に出金する。
【００３８】
（電源ユニット３００）
電源ユニット３００は、外部から供給された電力（外部交流電力）を動作部に供給する。ただし、電源ユニット３００は、平準化バッテリユニット１００が動作部に電力を供給する場合に、動作部に供給する電力の一部を停止することで、動作部に供給する電力量を制御する。他にも、電源ユニット３００は、自動取引装置１０の使用状況に応じて、動作部に供給する電力量を制御する。具体的には、電源ユニット３００は、以下で説明する主制御部用電源３０８および各ユニット用電源３１２を運用または停止させることで、動作部に供給する電力量を制御する。
【００３９】
主制御部用電源３０８は、主制御部２０４、接客用表示ユニット２０８ａおよび保守用表示ユニット２０８ｂに電力を供給する。一方で、各ユニット用電源３１２は、主制御部用電源３０８が電力を供給しない動作部である、カードユニット２２０、通帳ユニット２２４、紙幣ユニット２２８および硬貨ユニット２３２に電力を供給する。
【００４０】
リレー３１６は、外部交流電力を電源ユニット３００に供給するか否かを制御するスイッチである。リレー３１６が接点ＯＮである場合、主制御部用電源３０８および各ユニット用電源３１２は、起動して動作部に電力を供給することができる。一方で、リレー３１６が接点ＯＦＦである場合、主制御部用電源３０８および各ユニット用電源３１２は起動できない。
【００４１】
（平準化バッテリユニット１００）
平準化バッテリユニット１００は、電力を蓄電し、蓄電した電力を動作部に供給する。詳しくは、平準化バッテリユニット１００は、第１の時間帯に含まれる時間帯に、動作部に供給する電力の少なくとも一部を電源ユニット３００の代わりに供給する。一方で、平準化バッテリユニット１００は、第１の時間帯と異なる第２の時間帯に蓄電する。
【００４２】
（非常時バッテリユニット５００）
非常時バッテリユニット５００は、非常時に動作部が動作するための電力を供給する。例えば、非常時バッテリユニット５００は、停電や電圧低下などによる外部交流電力の異常があった場合に、主制御部２０４が取引のためのデータ等を保護するための電力を、主制御部２０４に供給する。
【００４３】
［１−２．自動取引装置１０の基本動作］
以上、自動取引装置１０の基本構成について説明した。以下では、図３を参照し、自動取引装置１０の基本動作について説明する。
【００４４】
図３は、本発明の実施形態に係る自動取引装置１０の基本動作を示す説明図である。本発明の実施形態においては、平準化バッテリユニット１００は、所定の条件が満たされる場合に、動作部に電力を供給する。図３に示したように、まず、ステップＳ１０で、平準化バッテリユニット１００は、平準化バッテリ運用時間帯（第１の時間帯）に現時刻が含まれるか否かを、所定の条件のひとつとして判定する。そして、現時刻が平準化バッテリ運用時間帯に含まれることを含め、所定の条件が満たされる場合、ステップＳ１４で、平準化バッテリユニット１００は、動作部に供給する電力の少なくとも一部を電源ユニット３００の代わりに供給する。一方で、現時刻が平準化バッテリ運用時間帯に含まれない等、所定の条件が満たされない場合、ステップＳ１８で、電源ユニット３００が動作部に電力を供給し、平準化バッテリユニット１００は動作部に電力を供給しない。
【００４５】
本発明の実施形態は、上述した平準化バッテリユニット１００による、動作部への電力の供給および蓄電処理に関する。そこで、本発明の各実施形態において、平準化バッテリユニット１００による電力の供給および蓄電処理に関して順次詳細に説明する。
【００４６】
＜２．第１の実施形態＞
本実施形態は、平準化バッテリユニット１００が時間帯によって電力を供給または充電することで、外部交流電力の消費量を社会的に電力需給の逼迫した時期から緩慢な時期に移行させて平準化させる形態である。まず、本実施形態における動作の概要について、図４〜５を参照して説明する。自動取引装置１０は、図４に示すように、時間帯に応じて異なる動作モード群に含まれる動作モードにより動作する。
【００４７】
［概要］
図４は、第１の実施形態に係る自動取引装置１０の動作の概要を示した説明図である。図４に示したように、自動取引装置１０は、平準化バッテリ運用時間帯である昼間（１２時〜１６時）には、（Ａ）取引動作モード、（Ｂ）待機動作モード、（Ｃ）省エネ動作モード、（Ｄ）平準化動作モード、を含む動作モード群により動作する。なお、平準化バッテリ運用時間帯は、社会的に電力需要の多い時間帯である。
【００４８】
ここで、自動取引装置１０において、顧客により取引が行われる時間は、取引が行われない時間と比較して短い。そこで、自動取引装置１０は、顧客との取引時には（Ａ）取引動作モードで動作し、取引後時間が経過するにつれて、（Ｂ）待機動作モード、（Ｃ）省エネ動作モード、（Ｄ）平準化動作モードの順に動作モードを遷移させて動作する。つまり、（Ｄ）平準化動作モードで自動取引装置１０が動作する時間帯は、平準化バッテリ運用時間帯において、主制御部２０４による取引処理後、所定時間経過した後の時間帯である。ただし、自動取引装置１０は、（Ｂ）待機動作モード、（Ｃ）省エネ動作モードおよび（Ｄ）平準化動作モードでの動作中であっても、顧客取引が開始される際には（Ａ）取引動作モードに遷移する。
【００４９】
一方で、平準化バッテリ運用時間帯以外の時間帯においては、（Ａ）取引動作モード、（Ｂ）待機動作モード、（Ｃ）省エネ動作モード、を含む動作モード群により動作する。
【００５０】
なお、自動取引装置１０による外部交流電力の消費量は、（Ａ）取引動作モード、（Ｂ）待機動作モード、（Ｃ）省エネ動作モード、（Ｄ）平準化動作モード、の順に小さい。
【００５１】
また、自動取引装置１０は、平準化バッテリ充電時間帯（第２の時間帯）に、平準化バッテリユニット１００の充電を行う。平準化バッテリ充電時間帯は、装置電源ＯＦＦである時間帯、例えば夜間などの自動取引装置１０が配置されている金融機関の店舗の閉店時間帯である。ただし、金融機関の店舗が２４時間営業である場合、自動取引装置１０は、どの動作モードで動作しているかに関わらず、夜間の所定の時間帯に平準化バッテリユニット１００の充電を行う。なお、平準化バッテリ充電時間帯は、平準化バッテリ運用時間帯と比較して社会的に電力需要の少ない時間帯である。
【００５２】
このように、自動取引装置１０は、（Ｄ）平準化動作モードでの動作を平準化バッテリユニット１００により行い、昼間に消費した平準化バッテリユニット１００を平準化バッテリ充電時間帯に充電している。つまり、自動取引装置１０は、平準化バッテリ運用時間帯における消費電力の一部を、平準化バッテリ充電時間帯に移行している。
【００５３】
図５は、第１の実施形態に係る自動取引装置１０の動作モードを示した説明図である。図５に示した通り、自動取引装置１０は、動作モード毎に、動作させる構成要素が異なる場合がある。
【００５４】
・（Ａ）取引動作モード
電源ユニット３００が動作部への電力の供給を行い、主制御部２０４は取引処理を行う。（Ａ）取引動作モードにおいては、平準化バッテリユニット１００は動作しない。
【００５５】
・（Ｂ）待機動作モード
電源ユニット３００が動作部への電力の供給を行い、主制御部２０４は取引処理を行わずに待機する。（Ｂ）待機動作モードにおいては、平準化バッテリユニット１００は動作しない。
【００５６】
・（Ｃ）省エネ動作モード
電源ユニット３００は動作部への電力の供給を少なくとも一部停止し、主制御部２０４は取引処理を行わない。具体的には、各ユニット用電源３１２は動作を停止し、各ユニット用電源３１２からの電力の供給が停止したカードユニット２２０、通帳ユニット２２４、紙幣ユニット２２８および硬貨ユニット２３２は動作を停止する。このとき、平準化バッテリユニット１００は、（Ｄ）平準化動作モードに遷移するための条件が満たされるか否かを判定しており、動作部への電力の供給は行っていない。
【００５７】
・（Ｄ）平準化動作モード
電源ユニット３００は動作部への電力の供給を停止し、電源ユニット３００が停止した動作部に供給する電力の少なくとも一部を、電源ユニット３００の代わりに平準化バッテリユニット１００が供給する。具体的には、リレー３１６が接点ＯＦＦとなり、各ユニット用電源３１２に加えて主制御部用電源３０８がさらに停止する。そして、平準化バッテリユニット１００は主制御部２０４、接客用表示ユニット２０８ａおよび保守用表示ユニット２０８ｂに電力を供給する。このとき、平準化バッテリユニット１００は、近接センサ２１６（後述の図６参照）に電力を供給してもよい。ただし、（Ｄ）平準化動作モードでの動作中に平準化バッテリユニット１００が蓄電量不足により電力を供給できなくなった場合、動作モードは（Ｃ）省エネ動作モードに遷移する。
【００５８】
なお、（Ｄ）平準化動作モードにおいては、接客用表示ユニット２０８ａおよび保守用表示ユニット２０８ｂは、現在内部バッテリにより運用している旨の画面表示を行ってもよい。
【００５９】
また、保守作業員により平準化バッテリユニット１００の運用を停止された場合には、自動取引装置１０は、例えば（Ｃ）省エネ動作モードで動作する。ここで、保守作業員による保守作業中は、顧客取引を行わない保守モードで動作していると捉えてもよい。
【００６０】
以上、本実施形態における動作の概要について説明した。以下では、図６を参照し、上記動作を行うための自動取引装置１０の構成について、さらに詳細に説明する。
【００６１】
［構成］
図６は、第１の実施形態に係る自動取引装置１０の内部構成を示した説明図である。図６に示した通り、平準化バッテリユニット１００は、平準化バッテリ１０４と、平準化制御回路１０８と、平準化電源１１２と、充電回路１１６と、放電回路１２０と、ＡＣ−ＤＣコンバータ１２４と、ＡＣ低下検出回路４０４ａと、を含む。自動取引装置１０は、動作部として、主制御部２０４が含む主制御回路２１２と、近接センサ２１６と、をさらに含む。電源ユニット３００は、電源制御回路３０４と、ＡＣ低下検出回路４０４ｂと、をさらに含む。
【００６２】
（動作部）
近接センサ２１６は、自動取引装置１０に対する顧客や保守作業員などの人の接近を検出するセンサである。近接センサ２１６は、人の接近を検出した場合に、主制御回路２１２に人の接近を通知する。
【００６３】
主制御回路２１２は、主制御部２０４を制御して、自動取引装置１０による様々な取引および動作部による処理を制御する。例えば、顧客が通帳を通帳挿入排出口２２に挿入すると、主制御回路２１２は、主制御部２０４および通帳ユニット２２４を制御して取引処理を実行する、
【００６４】
他にも、主制御回路２１２は、平準化制御回路１０８および電源制御回路３０４と信号通信を行う。例えば、主制御回路２１２は、自動取引装置１０が（Ｃ）省エネ動作モードに遷移する際に、各ユニット用電源３１２が動作部への電力の供給を停止するよう、電源制御回路３０４に省エネ信号（ａ）を通知する。
【００６５】
（電源ユニット３００）
ＡＣ低下検出回路４０４ｂは、停電や電圧低下などによる外部交流電力の異常の有無を検出する、電力異常検出部としての機能を有する。そして、ＡＣ低下検出回路４０４ｂは、電力異常を検出した際に、電源制御回路３０４に電力の異常を通知する。
【００６６】
電源制御回路３０４は、主制御部用電源３０８および各ユニット用電源３１２を制御し、動作部に電力を供給させる。他にも、電源制御回路３０４は、平準化制御回路１０８および主制御回路２１２と信号通信を行う。例えば、電源制御回路３０４は、ＡＣ低下検出回路４０４ｂから電力の異常を通知された場合に、主制御回路２１２が取引のためのデータ等を保護するよう、主制御回路２１２にＡＣ低下信号（ｃ）を通知する。
【００６７】
なお、以下では、主制御部用電源３０８が電力を供給するための電力ラインを、主制御部用電源ラインと呼称する。主制御部用電源３０８は、主制御部用電源ラインに電力を供給することで、動作部のうち、少なくとも主制御部２０４と、接客用表示ユニット２０８ａと、保守用表示ユニット２０８ｂと、主制御回路２１２と、に電力を供給する。なお、主制御部用電源３０８は、主制御部用電源ラインに電力を供給することで、さらに近接センサ２１６に電力を供給してもよい。
【００６８】
また、以下では、各ユニット用電源３１２が電力を供給するための電力ラインを、各ユニット用電源ラインと呼称する。各ユニット用電源３１２は、各ユニット用電源ラインに電力を供給することで、動作部のうち、少なくともカードユニット２２０と、通帳ユニット２２４と、紙幣ユニット２２８と、硬貨ユニット２３２と、に電力を供給する。
【００６９】
（平準化バッテリユニット１００）
平準化バッテリ１０４は電力を蓄電するバッテリであり、単数または複数であってもよい。平準化バッテリ１０４は、例えば、リチウムイオンバッテリ、ニッケル水素バッテリ、鉛バッテリ等の、繰り返し充放電可能なバッテリにより構成される。
【００７０】
ＡＣ低下検出回路４０４ａは、上述のＡＣ低下検出回路４０４ｂと同様、停電や電圧低下などによる外部交流電力の異常の有無を検出する、電力異常検出部としての機能を有する。そして、ＡＣ低下検出回路４０４ａは、電力異常を検出した際に、平準化制御回路１０８に電力の異常を通知する。
【００７１】
ＡＣ−ＤＣコンバータ１２４は、外部から供給される交流電流を直流電流に変換する。そして、ＡＣ−ＤＣコンバータ１２４は、変換した直流電流を平準化制御回路１０８または充電回路１１６に供給する。
【００７２】
平準化電源１１２は、平準化バッテリ１０４の電圧を安定化させる機能を有する。また、平準化電源１１２は、（Ｄ）平準化動作モードにおいては、平準化制御回路１０８への電力供給を、ＡＣ−ＤＣコンバータ１２４に代わって行う。充電回路１１６は、平準化バッテリ１０４への電力の割振りを行う。放電回路１２０は、平準化電源１１２を通して平準化バッテリ１０４に充電された電力の放電を行い、主制御部用電源ラインに電力を供給する。また、放電回路１２０は、平準化バッテリ１０４の過放電を防止し、平準化バッテリ１０４の発熱および故障を保護する機能を有する。
【００７３】
平準化制御回路１０８は、平準化バッテリ１０４、平準化電源１１２、充電回路１１６および放電回路１２０の動作を、信号により制御する。例えば、バッテリ充電制御（ｅ）により、平準化制御回路１０８は、平準化バッテリ１０４が充電するよう充電回路１１６を制御する。その際は、平準化制御回路１０８は、ＡＣ−ＤＣコンバータ１２４に充電回路１１６へ直流電流を供給させる。そして、平準化制御回路１０８は、バッテリ電圧監視（ｆ）により平準化バッテリ１０４の電圧を監視して、平準化バッテリ１０４が満充電になるまで充電するよう充電回路１１６を制御する。また、バッテリ放電制御（ｇ）により、平準化制御回路１０８は、放電回路１２０を、平準化バッテリ１０４を放電させるよう制御する。
【００７４】
他にも、平準化制御回路１０８は、電源制御回路３０４および主制御回路２１２と信号通信を行う。例えば、平準化制御回路１０８は、電源制御回路３０４を経由してリレー３１６にリレー信号（ｂ）を通知することで、リレー３１６のＯＮ／ＯＦＦを制御する。また、平準化制御回路１０８は、ＡＣ低下検出回路４０４ａから電力の異常を通知された場合に、主制御回路２１２が取引のためのデータ等を保護するよう、電源制御回路３０４を経由して主制御回路２１２にＡＣ低下信号（ｃ）を通知する。
【００７５】
また、平準化制御回路１０８は、主制御回路２１２とのインターフェース（ｈ）を持ち平準化バッテリ１０４の故障や寿命等を含む平準化バッテリユニット１００の状態を、主制御回路２１２に通知する。他にも、インターフェース（ｈ）により、平準化制御回路１０８は、主制御回路２１２との時刻合わせ、接客用表示ユニット２０８ａおよび保守用表示ユニット２０８ｂによる平準化バッテリユニット１００の運用パターンの入力および確認を行う。
【００７６】
以上、自動取引装置１０の構成について説明した。以下では、図７を参照し、自動取引装置１０における上述の動作モードの遷移について説明する。
【００７７】
［動作］
（（Ｄ）平準化動作モードへの遷移）
図７は、第１の実施形態に係る自動取引装置１０の（Ｄ）平準化動作モードへの遷移を説明するための説明図である。図７に示したように、まず、ステップＳ１０４で、主制御回路２１２は、（Ｂ）待機動作モードでの動作時間が所定時間を超過したか否かを判定する。（Ｂ）待機動作モードでの動作時間が所定時間を超過している場合は、ステップＳ１０８で、主制御回路２１２は電源制御回路３０４に省エネ信号（ａ）を通知し、自動取引装置１０は（Ｃ）省エネ動作モードでの動作を開始する。即ち、各ユニット用電源３１２は、動作を停止し、各ユニット用電源ラインへの電力の供給を停止する。ここで、省エネ信号（ａ）は、電源制御回路３０４を経由して平準化制御回路１０８に通知される。
【００７８】
平準化制御回路１０８は、省エネ信号（ａ）を通知された後の時間経過、即ち（Ｃ）省エネ動作モードでの動作時間を計測する。平準化制御回路１０８は、ステップＳ１１２で、（Ｃ）省エネ動作モードでの動作時間が所定時間を超過したか否かを判定し、超過している場合は、ステップＳ１１６、Ｓ１２０、Ｓ１２４で、（Ｄ）平準化動作モードへの遷移可否を判定する。
【００７９】
まず、ステップＳ１１６で、平準化制御回路１０８は、現時刻が平準化バッテリ運用時間帯に含まれるか否かを判定する。
【００８０】
次に、ステップＳ１２０で、平準化制御回路１０８は、平準化バッテリ１０４の残量が十分か否かを判定する。例えば、平準化制御回路１０８は、バッテリ電圧監視（ｆ）により平準化バッテリ１０４の電圧を測定し、平準化バッテリ１０４の電圧が所定の基準電圧よりも高い場合に、平準化バッテリ１０４の残量は十分であると判定する。
【００８１】
続いて、ステップＳ１２４で、平準化制御回路１０８は、自動取引装置１０が保守モードであるか否か、即ち平準化バッテリユニット１００の運用が停止されているか否かを判定する。
【００８２】
以上の、平準化バッテリ運用時間帯に含まれること、平準化バッテリ１０４の残量が十分であること、自動取引装置１０が保守モードでないこと、をすべて満たす場合は、以降のステップで、自動取引装置１０の動作モードは（Ｄ）平準化動作モードへ遷移する。なお、上述の条件がすべて満たされない場合は、自動取引装置１０は（Ｃ）省エネ動作モードでの動作を継続する。
【００８３】
まず、ステップＳ１２８で、平準化制御回路１０８は、平準化バッテリ１０４に動作部の一部への電力の供給を開始させる。ここで、ステップＳ１２８の動作について詳述する。まず、平準化制御回路１０８は、平準化バッテリ１０４からの電力を用いて平準化電源１１２を起動する。そして、平準化電源１１２が正常に起動すると、平準化制御回路１０８は、放電回路１２０を動作させて、主制御部用電源ラインに電力を供給する。
【００８４】
続いて、ステップＳ１３２で、電源ユニット３００は動作部への全ての電力の供給を停止する。ここで、ステップＳ１３２の動作について詳述する。まず、平準化制御回路１０８は、リレー信号（ｂ）のＯＦＦを、電源制御回路３０４を経由してリレー３１６に通知する。そして、リレー信号（ｂ）のＯＦＦを通知されたリレー３１６は、電源ユニット３００への電力の供給を停止する。このため、主制御部用電源３０８は、動作を停止し、主制御部用電源ラインへの電力の供給を停止する。
【００８５】
このようにして、ステップＳ１３６で、自動取引装置１０は（Ｄ）平準化動作モードで動作する。
【００８６】
（非常時の動作）
以上、自動取引装置１０の（Ｄ）平準化動作モードへの遷移について説明した。以下では、図８を参照し、自動取引装置１０の非常時の動作について説明する。
【００８７】
図８は、第１の実施形態に係る自動取引装置１０の非常時の動作を説明するための説明図である。自動取引装置１０の非常時の動作は、動作モードが（Ｄ）平準化動作モードの場合と、（Ｄ）平準化動作モード以外の場合とで異なる。
【００８８】
まず、動作モードが（Ｄ）平準化動作モード以外の場合、即ち（Ａ）取引動作モード、（Ｂ）待機動作モード、（Ｃ）省エネ動作モードの場合について説明する。ステップＳ２０４で、ＡＣ低下検出回路４０４ｂが電力異常を検出すると、電源制御回路３０４は、主制御回路２１２にＡＣ低下信号（ｃ）を通知する。次に、ステップＳ２０８で、主制御回路２１２は、非常時バッテリユニット５００に主制御部２０４へ電力を供給させる。そして、ステップＳ２１２で、主制御回路２１２は、非常時バッテリユニット５００から供給された電力を用いて、取引のためのデータ等を保護して主制御部２０４を安全に停止させる。
【００８９】
次に、動作モードが（Ｄ）平準化動作モードの場合について説明する。動作モードが（Ｄ）平準化動作モードの場合は、電力異常が生じても外部交流電力が無いため電源ユニット３００を正常に起動することができない。そこで、ステップＳ２０４で、ＡＣ低下検出回路４０４ａが電力異常を検出すると、平準化制御回路１０８は、電源制御回路３０４を経由して主制御回路２１２にＡＣ低下信号（ｃ）を通知する。ステップＳ２０８およびステップＳ２１２の動作は、動作モードが（Ｄ）平準化動作モード以外の場合において説明した動作と同様である。
【００９０】
（（Ｄ）平準化動作モードから（Ａ）取引動作モードへの遷移）
以上、自動取引装置１０の非常時の動作について説明した。以下では、図９を参照し、自動取引装置１０の（Ｄ）平準化動作モードから（Ａ）取引動作モードへの遷移について説明する。
【００９１】
図９は、第１の実施形態に係る自動取引装置１０の（Ｄ）平準化動作モードから（Ａ）取引動作モードへの遷移を説明するための説明図である。まず、ステップＳ３０４で、近接センサ２１６は、顧客が自動取引装置１０の前面に現れたことを検知する。次に、ステップＳ３０８で、自動取引装置１０は、平準化動作モード終了処理および取引動作モード開始処理を行う。ここで、ステップＳ３０８の動作について詳述する。
【００９２】
近接センサ２１６より顧客の接近を通知された主制御回路２１２は、省エネ信号（ａ）のＯＦＦを、電源制御回路３０４および電源制御回路３０４を経由して平準化制御回路１０８に通知する。次に、省エネ信号（ａ）のＯＦＦを通知された平準化制御回路１０８は、リレー信号（ｂ）のＯＮを、電源制御回路３０４を経由してリレー３１６に通知する。
【００９３】
そして、ステップＳ３１２で、リレー３１６は、接点ＯＮすることで、電源ユニット３００は主制御部用電源ラインおよび各ユニット用電源ラインに電力を供給開始し、自動取引装置１０は取引可能な状態となる。その後、電源ユニット３００からの電力供給が再開してから所定時間経過すると、平準化制御回路１０８は平準化バッテリ１０４による電力供給を停止して、主制御部２０４への電力供給は電源ユニット３００に切り替わる。
【００９４】
［効果］
以上説明したように、本実施形態によれば、自動取引装置１０の稼働率が高い昼間の時間帯において、自動取引装置１０が所定時間使用されていない場合には、平準化バッテリユニット１００のみが動作部に電力を供給することができる。ここで、自動取引装置１０の稼働率が高い昼間の時間帯は、社会的に電力需要が高く、且つ逼迫した時間帯である。従って、自動取引装置１０は、社会的に電力需要が高く、且つ逼迫した時間帯において、外部交流電力の消費量を極めて少なくすることができる。
【００９５】
また、自動取引装置１０は、昼間に消費した平準化バッテリユニット１００を、夜間に充電することができる。ここで、夜間は、社会的に電力需要が低く、且つ緩慢な時間帯である。従って、自動取引装置１０は、外部交流電力の消費量を、社会的に電力需給の逼迫した時期から緩慢な時期に移行させて、平準化させることができる。
【００９６】
ここで、昼間は社会的に電力需要の変動が激しいため、化石燃料による発電量の割合が夜間と比較して多くなる。そのため、昼間の電力消費は、環境負荷が大きい。このような社会的背景において、自動取引装置１０は、昼間の電力消費を夜間に移行させることで、環境負荷の低い運用を行うことができる。
【００９７】
また、自動取引装置１０は、どの動作モードにおいても、主制御部２０４に電力を供給することができるので、主制御部２０４を常に動作させることができる。よって、自動取引装置１０は、実施が困難なオペレーティングシステムのサスペンド等を行う必要がない。このため、（Ｄ）平準化動作モードから取引可能な状態である（Ａ）取引動作モードに復帰するまでの復帰時間は、（Ｂ）待機動作モードおよび（Ｃ）省エネ動作モードからの復帰時間と比較して、大きく延びることがない。また、自動取引装置１０は、主制御部２０４への電力供給を停止してオペレーティングシステムのサスペンドを行う場合と比較して、復帰時間を短縮することができる。
【００９８】
そして、主制御部２０４においては、（Ｄ）平準化動作モードであってもオペレーティングシステムが継続して動作することで、接客用表示ユニット２０８ａでの画面表示を継続させることができる。従って、自動取引装置１０が（Ｄ）平準化動作モードで動作中であっても、顧客は、接客用表示ユニット２０８ａに画面表示されていないので自動取引装置１０の運用自体が停止している、と誤解することがない。
【００９９】
また、電力消費量を平準化させるためには、自動取引装置１０の周辺に蓄電池や発電機を設置し、電力需要のピーク時に電力を供給させるも考えられる。しかしながら、このような方法は、設置スペースを要すること、導入コストがかかること、蓄電池や発電機が常時インバータ方式である場合には、蓄電池や発電機自体の電力損失が常時加わるという問題がある。この点、自動取引装置１０は、内部に平準化バッテリユニット１００を有するので、設置スペースおよび導入コストを要しない。また、自動取引装置１０は、平準化バッテリ充電時間帯以外には外部交流電力を消費しないため、常時の電力損失がない。
【０１００】
＜２−１．第１の実施形態の変形例＞
第１の実施形態の変形例は、装置電源ＯＮである時間帯、即ち自動取引装置１０が配置されている金融機関の店舗の開店時間帯に、平準化バッテリユニット１００の充電を行う形態である。本実施形態に係る自動取引装置１０の構成は、＜２．第１の実施形態＞の構成において説明した通りであるので、ここでの詳細な説明を省略する。
【０１０１】
［動作］
以下では、図１０を参照し、自動取引装置１０の充電動作について説明する。
【０１０２】
図１０は、第１の実施形態の変形例に係る自動取引装置１０の動作の概要を示した説明図である。図１０に示したように、自動取引装置１０は、自動取引装置１０が配置されている金融機関の店舗の開店時間帯であり、且つ平準化バッテリ運用時間帯と比較して社会的に電力需要の少ない時間帯（早朝・夕方）に、平準化バッテリユニット１００の充電を行う。なお、自動取引装置１０は、平準化バッテリ充電時間帯においては、どの動作モードで動作しているかに関わらず、平準化バッテリユニット１００の充電を行う。
【０１０３】
［効果］
以上説明したように、本実施形態によれば、自動取引装置１０が配置されている金融機関の店舗の開店時間帯であり、且つ、社会的に電力需要の少ない時間帯である早朝および夕方に、平準化バッテリユニット１００の充電を行うことができる。金融機関の店舗によっては、閉店中は完全に電気を断ってしまう場合があるが、自動取引装置１０は、そのような場合であっても外部交流電力の消費量を平準化することができる。
【０１０４】
その他にも、第１の実施形態で説明した効果と同様の効果を得ることが可能である。
【０１０５】
＜３．第２の実施形態＞
第２の実施形態は、顧客による取引時に、平準化取引動作モードによって動作する形態である。本実施形態に係る自動取引装置１０の構成は、＜２．第１の実施形態＞の構成において説明した通りであるので、ここでの詳細な説明を省略する。まず、図１１を参照し、自動取引装置１０の動作の概要について説明する。
【０１０６】
［動作］
図１１は、第２の実施形態に係る自動取引装置１０の動作モードを示した説明図である。図５に示した通り、自動取引装置１０は、平準化バッテリ運用時間帯において、顧客による取引時には、（Ａ´）平準化取引動作モードにより動作する。
【０１０７】
・（Ａ´）平準化取引動作モード
電源ユニット３００は、動作部への電力の供給を少なくとも一部停止する。そして、平準化バッテリユニット１００は、電源ユニット３００が停止した動作部に供給する電力を代わりに供給し、主制御部２０４が取引処理を行う。具体的には、各ユニット用電源３１２は各ユニット用電源ラインに電力を供給するが、主制御部用電源３０８は動作を停止し、主制御部用電源ラインへの電力の供給を停止する。そして、平準化バッテリユニット１００は主制御部用電源ラインに電力を供給する。
【０１０８】
なお、平準化バッテリユニット１００が蓄電量不足により電力を供給できなくなった場合、動作モードは（Ａ´）平準化取引動作モードではなく（Ａ）取引動作モードに遷移する。従って、自動取引装置１０は、平準化バッテリ運用時間帯には、（Ａ´）平準化取引動作モード、（Ａ）取引動作モード、（Ｂ）待機動作モード、（Ｃ）省エネ動作モード、（Ｄ）平準化動作モード、を含む動作モード群により動作する。
【０１０９】
続いて、図１２を参照し、自動取引装置１０における動作モードの遷移について説明する。
【０１１０】
図１２は、第２の実施形態に係る自動取引装置１０の動作モードの遷移を説明するための説明図である。まず、ステップＳ４０４で、近接センサ２１６は、顧客が自動取引装置１０の前面に現れたことを検知する。次に、ステップＳ４０８で、自動取引装置１０の動作モードが、（Ｂ）待機動作モードまたは（Ｃ）省エネ動作モードである場合はステップＳ４１２に、（Ｄ）平準化動作モードである場合はステップＳ４６０に、遷移動作は進む。
【０１１１】
（（Ｂ）待機動作モードまたは（Ｃ）省エネ動作モードである場合）
自動取引装置１０の動作モードが、（Ｂ）待機動作モードまたは（Ｃ）省エネ動作モードである場合、ステップＳ４１２で、自動取引装置１０は、現動作モード終了処理および平準化取引動作モード開始処理を行う。ここで、ステップＳ４１２の動作について詳述する。
【０１１２】
自動取引装置１０の動作モードが、（Ｂ）待機動作モードである場合、主制御回路２１２は、インターフェース（ｈ）により、取引信号のＯＮを平準化制御回路１０８に通知する。一方で、自動取引装置１０の動作モードが、（ｃ）省エネ動作モードである場合、主制御回路２１２は、インターフェース（ｈ）により、取引信号のＯＮを平準化制御回路１０８に通知し、（ａ）省エネ信号のＯＦＦを電源制御回路３０４に通知する。
【０１１３】
続いて、ステップＳ４１６、Ｓ４２０、Ｓ４２４で、平準化制御回路１０８は、図７を参照して説明したステップＳ１１６、Ｓ１２０、Ｓ１２４と同様にして、（Ａ´）平準化取引動作モードへの遷移可否を判定する。
【０１１４】
即ち、ステップＳ４１６で、平準化制御回路１０８は、現時刻が平準化バッテリ運用時間帯に含まれるか否かを判定する。次に、ステップＳ４２０で、平準化制御回路１０８は、平準化バッテリ１０４の残量が十分か否かを判定する。そして、ステップＳ４２４で、平準化制御回路１０８は、自動取引装置１０が保守モードであるか否か、即ち平準化バッテリユニット１００の運用が停止されているか否かを判定する。
【０１１５】
ここで、平準化バッテリ運用時間帯に含まれること、または平準化バッテリ１０４の残量が十分であること、を満たさない場合は、自動取引装置１０は（Ａ）取引動作モードに遷移し、ステップＳ４４０で取引動作を行う。また、自動取引装置１０が保守モードでないこと、を満たさない場合は、自動取引装置１０は保守モードを継続し、取引動作を行わない。
【０１１６】
一方で、平準化バッテリ運用時間帯であること、平準化バッテリ１０４の残量が十分であること、自動取引装置１０が保守モードでないこと、をすべて満たす場合は、以降のステップで、自動取引装置１０の動作モードは（Ａ´）平準化取引動作モードへ遷移する。
【０１１７】
まず、ステップＳ４２８で、図７を参照して説明したステップＳ１２８と同様、平準化制御回路１０８は、平準化バッテリ１０４に動作部の一部への電力の供給を開始させる。詳しくは、平準化バッテリユニット１００は、主制御部用電源ラインへの電力の供給を開始する。
【０１１８】
続いて、ステップＳ４３２で、電源ユニット３００は動作部の一部への電力の供給を停止する。ここで、ステップＳ４３２の動作について詳述する。まず、平準化制御回路１０８は、主制御部電源信号（ｄ）のＯＦＦを、電源制御回路３０４に通知する。そして、主制御部電源信号（ｄ）のＯＦＦを通知された電源制御回路３０４は、各ユニット用電源３１２を選択的に動作させて、各ユニット用電源ラインに電力を供給させる。一方で、電源制御回路３０４は、主制御部用電源３０８の動作を選択的に停止させて、主制御部用電源ラインへの電力の供給を停止させる。
【０１１９】
このようにして、ステップＳ４３６で、自動取引装置１０は、（Ａ´）平準化取引動作モードで取引処理を行う。
【０１２０】
（（Ｄ）平準化動作モードである場合）
自動取引装置１０の動作モードが、（Ｄ）平準化動作モードである場合である場合、ステップＳ４６０で、自動取引装置１０は、平準化動作モード終了処理および平準化取引動作モード開始処理を行う。詳しくは、主制御回路２１２は、インターフェース（ｈ）により、取引信号のＯＮを平準化制御回路１０８に通知し、省エネ信号（ａ）のＯＦＦを電源制御回路３０４に通知する。
【０１２１】
このとき、ステップＳ４６４で、平準化バッテリユニット１００は、動作部の一部への電力の供給を継続する。詳しくは、平準化バッテリユニット１００は、継続して主制御部用電源ラインに電力を供給する。
【０１２２】
次に、ステップＳ４６８で、電源ユニット３００は、動作部の一部以外への電力の供給を開始する。詳しくは、電源ユニット３００は、各ユニット用電源ラインへの電力の供給を開始する。ここで、ステップＳ４６８の動作について詳述する。まず、取引信号のＯＮを通知された平準化制御回路１０８は、リレー信号（ｂ）のＯＮをリレー３１６に通知する。そして、リレー３１６は、接点ＯＮし、各ユニット用電源３１２に選択的に電力を供給して起動し、各ユニット用電源ラインに電力を供給させる。一方で、平準化制御回路１０８は、主制御部電源信号（ｄ）のＯＦＦを電源制御回路３０４に通知し、リレー３１６が接点ＯＮしても、主制御部用電源３０８を起動しない。
【０１２３】
このようにして、ステップＳ４３６で、自動取引装置１０は、（Ａ´）平準化取引動作モードで取引処理を行う。
【０１２４】
ここで、（Ａ´）平準化取引動作モードでの取引が終了後の動作について説明する。（Ａ´）平準化取引動作モードでの取引が終了すると、主制御回路２１２はインターフェース（ｈ）を用いて取引信号のＯＦＦを平準化制御回路１０８に通知する。続いて、取引信号のＯＦＦを通知された平準化制御回路１０８は、主制御部電源信号（ｄ）のＯＮを電源制御回路３０４に通知する。そして、主制御部電源信号（ｄ）のＯＮを通知された電源制御回路３０４は、主制御部用電源３０８を起動して、主制御部用制御ラインに電力を供給させる。その後、所定時間経過すると、平準化バッテリユニット１００は動作を停止し、主制御部２０４への電力供給は平準化バッテリユニット１００から電源ユニット３００に切り替わり、自動取引装置１０の動作モードは（Ｂ）待機動作モードに遷移する。
【０１２５】
［効果］
以上説明したように、本実施形態によれば、自動取引装置１０の稼働率が高い昼間の時間帯においては、自動取引装置１０は、平準化バッテリユニット１００からの電力供給を受けつつ取引処理を行うことができる。従って、自動取引装置１０は、取引時の最大消費電力量を低減することができる。
【０１２６】
その他にも、第１の実施形態で説明した効果と同様の効果を得ることが可能である。
【０１２７】
＜４．第３の実施形態＞
第３の実施形態は、非常時において平準化バッテリユニット１００が電力を供給する形態である。まず、図１３を参照して、自動取引装置１０の構成を説明する。その後、図１４を参照して、自動取引装置１０の動作を説明する。
【０１２８】
［構成］
図１３は、第３の実施形態に係る自動取引装置１０の内部構成の概略を示した説明図である。図１３に示したように、自動取引装置１０は非常時バッテリユニット５００を含まない点で、図２を参照して説明した自動取引装置１０の構成と異なる。ただし、平準化バッテリユニット１００は、非常時バッテリユニット５００としての機能を有する。
【０１２９】
［動作］
図１４は、第３の実施形態に係る自動取引装置１０の非常時の動作を説明するための説明図である。図１４に示したように、まず、ステップＳ５０４で、ＡＣ低下検出回路４０４ａが電力異常を検出すると、平準化制御回路１０８は、電源制御回路３０４を経由して主制御回路２１２にＡＣ低下信号（ｃ）を通知する。このとき、ステップＳ５０８で、平準化制御回路１０８は、主制御部２０４に供給する電力を、電源ユニット３００の代わりに平準化バッテリ１０４が供給するよう制御する。詳しくは、平準化制御回路１０８は、平準化電源１１２を起動して、主制御部用電源ラインに電力を供給する。そして、ステップＳ５１２で、ＡＣ低下信号（ｃ）を通知された主制御回路２１２は、平準化バッテリユニット１００から供給された電力を用いて、取引のためのデータ等を保護して主制御部２０４を安全に停止させる。
【０１３０】
［効果］
以上説明したように、本実施形態によれば、非常時において平準化バッテリユニット１００が、主制御部２０４が取引データ等を保護するための電力を供給することができる。従って、自動取引装置１０は、非常時バッテリユニット５００を有する必要が無い。
【０１３１】
その他にも、第１の実施形態で説明した効果と同様の効果を得ることが可能である。
【０１３２】
＜５．まとめ＞
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１３３】
例えば、上記実施形態では、自動取引装置１０は内部に平準化バッテリ１０４を含むとしたが、本発明はかかる例に限定されない。例えば、平準化バッテリ１０４を自動取引装置１０の外部に設置してもよい。この場合、平準化バッテリ１０４は、自動取引装置１０が含むＡＣ−ＤＣコンバータ１２４により変換された直流電流を供給されるため、ＡＣ−ＤＣコンバータ１２４の機能を付加される蓄電池よりも、少ない設置スペースで設置することができる。
【０１３４】
また、上記実施形態では、昼間を電力需要の高い時間帯として平準化バッテリ運用時間帯としたが、本発明はかかる例に限定されない。例えば、冬季には暖房需要が高まる夜間の方が昼間と比較して電力需要が高くなる場合があるので、夜間を平準化バッテリ運用時間帯としてもよい。他にも、平準化バッテリ運用時間を可変としてもよい。具体的には、電力会社による需要予測情報およびリアルタイムの需給情報、過去の電力需要の統計情報、季節、地域、気温、天気、標高などに応じて、上位装置が平準化バッテリ運用時間帯を定めてもよい。そして、自動取引装置１０は、ネットワークを通じて上位装置より通知された平準化バッテリ運用時間帯によって動作してもよい。なお、平準化バッテリ充電時間帯についても、同様である。
【符号の説明】
【０１３５】
１０      自動取引装置
２２      通帳挿入排出口
２６      カード挿入排出口
３０      硬貨投入口
３４      紙幣投入口
３８      操作表示部
１００    平準化バッテリユニット
１０４    平準化バッテリ
１０８    平準化制御回路
１１２    平準化電源
１１６    充電回路
１２０    放電回路
１２４    ＡＣ−ＤＣコンバータ
２０４    主制御部
２０８ａ  接客用表示ユニット
２０８ｂ  保守用表示ユニット
２１２    主制御回路
２１６    近接センサ
２２０    カードユニット
２２４    通帳ユニット
２２８    紙幣ユニット
２３２    硬貨ユニット
３００    電源ユニット
３０４    電源制御回路
３０８    主制御部用電源
３１２    各ユニット用電源
３１６    リレー
４０４    ＡＣ低下検出回路
５００    非常時バッテリユニット
【図１】
2014049038.tif 000003
【図２】
2014049038.tif 000004
【図３】
2014049038.tif 000005
【図４】
2014049038.tif 000006
【図５】
2014049038.tif 000007
【図６】
2014049038.tif 000008
【図７】
2014049038.tif 000009
【図８】
2014049038.tif 000010
【図９】
2014049038.tif 000011
【図１０】
2014049038.tif 000012
【図１１】
2014049038.tif 000013
【図１２】
2014049038.tif 000014
【図１３】
2014049038.tif 000015
【図１４】
2014049038.tif 000016